【手続補正書】
【提出日】平成28年1月8日(2016.1.8)
【手続補正１】
【補正対象書類名】特許請求の範囲
【補正対象項目名】全文
【補正方法】変更
【補正の内容】
【特許請求の範囲】
【請求項１】
構造コンポーネント（２５０）を解析する方法であって、
アクセス制御付きサーバー（１２）に
少なくとも１つの荷重事例（１８、２０、２２）、
少なくとも１つの材料許容値（２６）、及び
静的解析テンプレート（３０）、疲労解析テンプレート（３２）、損傷許容性解析テンプレート（３４）のうち少なくとも１つを備える、少なくとも１つの解析変数（１０４）を有する解析テンプレート（２８）、
を保存するステップと、
前記アクセス制御付きサーバー（１２）に保存された前記解析テンプレート（２８）を前記サーバー（１２）から遠くにあるインターフェース（５０）を使用して実行するステップと、
前記サーバー（１２）への前記インターフェース（５０）を使用して、前記解析変数（１０４）に少なくとも１つの登録を行うステップと、
プロセッサベースのアナライザ（１００）を使用して、前記荷重事例（１８、２０、２２）及び前記解析変数（１０４）の登録に基づく前記解析テンプレート（２８）を使用する前記構造コンポーネント（２５０）の強度解析を実施するステップと、
前記インターフェース（５０）を介して前記テンプレート（２８）にアクセスするユーザーによる前記解析テンプレート（２８）の改変を防止することにより、所与の構造コンポーネントを解析するために全てのユーザーが同一の又は実質的に同様の解析テンプレートを使用して構造アセンブリの解析に必要な時間を短縮するステップと
を含む方法。
【請求項２】
安全マージン（１３０）に対応する前記構造コンポーネント（２５０）の故障モード（１３２）を決定するステップと、
少なくとも１つの荷重事例（１８、２０、２２）及び前記安全マージン（１３０）に関連する環境を決定するステップと
をさらに含み、
前記解析変数（１０４）に対する登録を行う前記ステップが、
前記構造コンポーネント（２５０）の幾何学的パラメータ（３１２）を選択することを含む、請求項１に記載の方法。
【請求項３】
材料（２４）及び対応する材料許容値（２６）の一覧表を前記サーバー（１２）に保存するステップと、
前記インターフェース（５０）を使用して、前記解析変数（１０４）に対する登録として少なくとも１つの前記材料（２４）を選択するステップと、
オプティマイザ（１５０）を使用して、選択された材料の前記材料許容値（２６）を使用する前記強度解析を実施するステップと、
前記サーバー（１２）に複数の荷重事例（１８、２０、２２）を保存するステップと、
前記インターフェース（５０）を使用して、前記強度解析のための前記荷重事例（１８、２０、２２）の１つを選択するステップと
をさらに含む、請求項１又は２に記載の方法。
【請求項４】
前記解析テンプレート（２８）が、静的解析テンプレート（３０）、疲労解析テンプレート（３２）、及び損傷許容性解析テンプレート（３４）を含み、前記アナライザ（１００）を使用して前記強度解析を実施する前記ステップが、
前記静的解析テンプレート（３０）を使用して前記構造コンポーネント（２５０）の静的解析を実施することと、
前記疲労解析テンプレート（３２）及び前記損傷許容性解析テンプレート（３４）を使用して前記構造コンポーネント（２５０）の疲労解析を実施すること
のうちの少なくとも１つを含む、請求項１〜３のいずれか一項に記載の方法。
【請求項５】
前記インターフェース（５０）を使用して、最適化のため前記構造コンポーネント（２５０）の少なくとも１つの設計変数（１５４）を選択するステップであって、前記１つの設計変数（１５４）が前記構造コンポーネント（２５０）の幾何学的パラメータ（３１２）を含み、前記幾何学的パラメータ（３１２）が前記構造コンポーネント（２５０）の厚みを含むステップと、
前記インターフェース（５０）を使用して、プロセッサベースのオプティマイザ（１５０）に前記構造コンポーネント（２５０）の少なくとも１つの制約を入力するステップであって、前記制約が安全マージン（１３０）に対する最小値を含むステップと、
前記オプティマイザ（１５０）を使用して、前記制約が実質的に満たされるまで前記設計変数（１５４）を繰り返し更新することによって、前記設計変数（１５４）の最適化を実施するステップと、
前記オプティマイザ（１５０）を使用して、前記設計変数（１５４）の前記最適化に基づいて前記構造コンポーネント（２５０）の最適化された幾何形状を決定するステップと
をさらに含む、請求項１〜４のいずれか一項に記載の方法。
【請求項６】
前記最適化された幾何形状の故障モード（１３２）及び該故障モード（１３２）に対応する安全マージン（１３０）を決定するステップと、
少なくとも１つの荷重条件及び前記安全マージン（１３０）に関連する環境を決定するステップとをさらに含み、
前記構造コンポーネント（２５０）の前記最適化が、前記構造コンポーネント（２５０）の静的解析及び疲労解析にそれぞれ基づく静的最適化（１７０）及び疲労最適化（１７２）のうちの少なくとも１つを含み、最適化された幾何形状を決定するステップが、
前記構造コンポーネント（２５０）の少なくとも一部分の最小の厚みを決定することを含む、
請求項５に記載の方法。
【請求項７】
構造コンポーネント（２５０）を解析するためのプロセッサベースシステムであって、
少なくとも１つの荷重事例（１８、２０、２２）、
少なくとも１つの材料許容値（２６）、及び
静的解析テンプレート（３０）、疲労解析テンプレート（３２）、損傷許容性解析テンプレート（３４）のうち少なくとも１つを備える、少なくとも１つの解析変数（１０４）を有する解析テンプレート（２８）
を保存するように構成されているアクセス制御付きサーバー（１２）と、
前記サーバー（１２）へのインターフェース（５０）であって、前記アクセス制御付きサーバー（１２）に保存された前記解析テンプレート（２８）を実行し、かつ、ユーザーによる前記解析変数（１０４）への登録を容易にするように構成されているインターフェース（５０）と、
前記荷重事例（１８、２０、２２）及び前記解析変数（１０４）の登録に基づく前記解析テンプレート（２８）を使用する前記構造コンポーネント（２５０）の強度解析を実施するように構成されている構造コンポーネントアナライザ（１００）であって、前記材料許容値（２６）に基づく前記構造コンポーネント（２５０）の安全マージン（１３０）を決定するように構成されている構造コンポーネントアナライザ（１００）と
を含み、
前記インターフェース（５０）を介して前記テンプレート（２８）にアクセスするユーザーによる前記解析テンプレート（２８）の改変を防止することにより、所与の構造コンポーネントを解析するために全てのユーザーが同一の又は実質的に同様の解析テンプレートを使用して構造アセンブリの解析に必要な時間を短縮するようになっているシステム。
【請求項８】
前記登録が前記構造コンポーネント（２５０）の幾何学的パラメータ（３１２）を含み、前記サーバー（１２）が複数の前記荷重事例（１８、２０、２２）を保存するように構成されており、且つ
前記強度解析のための荷重事例（１８、２０、２２）の１つの選択を容易にするように前記インターフェース（５０）が構成されている
請求項７に記載のシステム。
【請求項９】
前記サーバー（１２）が、材料（２４）及び対応する材料許容値（２６）の一覧表を保存するように構成されており、且つ
前記解析変数（１０４）への登録として前記材料（２４）のうちの少なくとも１つの選択を容易にするように前記インターフェース（５０）が構成されている
請求項７又は８に記載のシステム。
【請求項１０】
構造コンポーネントオプティマイザ（１５０）であって、
前記インターフェース（５０）が前記オプティマイザ（１５０）への少なくとも１つの設計変数（１５４）及び少なくとも１つの制約の登録を容易にするように構成されており、
前記制約が実質的に満たされるまで前記設計変数（１５４）を繰り返し更新するように構成されている構造コンポーネントオプティマイザ（１５０）であり、
前記設計変数（１５４）の最適化に基づいて前記構造コンポーネント（２５０）の最適化された幾何形状を決定するように構成されている構造コンポーネントオプティマイザ（１５０）、をさらに含み、
少なくとも１つの設計変数（１５４）が前記構造コンポーネント（２５０）の厚みを含み、且つ少なくとも１つの制約が前記安全マージン（１３０）の最小値を含む
請求項７〜９のいずれか一項に記載のシステム。